(57)【要約】【課題】  水分の滴下を抑制でき、かつ、風量を確保しつつ意匠性を向上させることが可能なフロントパネルを備えた送風装置を提供する。【解決手段】  浴室換気乾燥暖房機１Ａは、空気を吸い込んで吹き出す循環換気ファン２を有した本体部３の下側に取り付けられるフロントパネル４Ａを備え、フロントパネル４Ａは、浴室に面した下側の面に設けられ、浴室から吸い込まれる空気が通る外側吸込口４２と、循環換気ファン２の循環換気吸込口２０に対向した上側の面に設けられ、外側吸込口４２とつながる内側吸込口４３と、内側吸込口４３の下側を覆い、内側吸込口４３から滴下する水を受ける吸込口風路形成部４４を備える。【選択図】    図１
2015210001.tif 000002
【特許請求の範囲】
【請求項１】
空気を吸い込んで吹き出す送風手段を有した本体部に取り付けられるフロントパネルを備え、
前記フロントパネルは、室内から吸い込まれる空気が通る第１の吸込口と、前記第１の吸込口とつながる第２の吸込口と、前記第２の吸込口と対向する吸込口風路形成部材と、室内に吹き出される空気が通る吹出口を備え、前記第１の吸込口を前記フロントパネルの室内に対向する面に備え、前記第２の吸込口を前記本体部に対向する面に備えた
ことを特徴とする送風装置。
【請求項２】
前記フロントパネルは、前記第１の吸込口から挿抜される前記フィルタが取り付けられるフィルタ取付部を備えた
ことを特徴とする請求項１に記載の送風装置。
【請求項３】
前記フィルタ取付部は、前記フィルタが前記第２の吸込口に取り付けられるよう、前記第２の吸込口に沿って設けられる
ことを特徴とする請求項２に記載の送風装置。
【請求項４】
前記フロントパネルは、
前記第１の吸込口、前記第２の吸込口、前記吸込口風路形成部材、前記第１の吸込口と前記第２の吸込口をつなぐ吸込口風路を前記吸込口風路形成部材と共に形成する吸込口風路形成枠部、前記フィルタ取付部及び前記吹出口が一体成型で構成される
ことを特徴とする請求項２または３に記載の送風装置。
【請求項５】
前記フロントパネルは、前記第１の吸込口と前記吹出口が並ぶ方向に沿った２つの辺部と、前記吹出口が形成されている側と反対側の１つの辺部に沿った３方向に前記第１の吸込口が設けられる
ことを特徴とする請求項４に記載の送風装置。
【発明の詳細な説明】
【技術分野】
【０００１】
本発明は、浴室等に設置され、室内の空気を吸い込んで吹き出す送風装置に関する。
【背景技術】
【０００２】
従来から、浴室の天井等の設置場所に設置され、室内の空気を吸い込み、温風あるいは室温に応じた空気を吹き出して、室内の暖房、室内にある被乾燥物の乾燥等の機能を実現した送風装置が提案されている。このような送風装置は、室内の空気を屋外に排気する換気の機能を持つものも多く、浴室換気乾燥暖房機と称されている。
【０００３】
浴室換気乾燥暖房機は、空気の吸込口と吹出口をフロントパネルの下面に備え、浴室の天井に設置されることで、吸込口及び吹出口が浴室内に面する。浴室換気乾燥暖房機では、吹出口から吹き出される空気で衣類等の被乾燥物を乾燥させるため、空気の吹き出し方向が下方に向くように、フロントパネルの下面に吹出口が設けられる。
【０００４】
これに対して、空気の吸込口をフロントパネルの下面に設ける構成の他に、空気の吸込口をフロントパネルの側面に設ける技術が提案されている（例えば、特許文献１参照）。
【０００５】
浴室内の空気は水分を含むため、浴室換気乾燥暖房機内に吸い込んだ空気中の水分が結露する場合がある。フロントパネルの下面に吸込口が設けられる構成では、結露した水が吸込口から浴室内に滴下する虞がある。一方、フロントパネルの側面に吸込口が設けられる構成では、結露した水の滴下を抑制することができる。
【先行技術文献】
【特許文献】
【０００６】
【特許文献１】特許第５４６０９２１号公報
【発明の概要】
【発明が解決しようとする課題】
【０００７】
フロントパネルの側面に吸込口が設けられる構成では、吸込口の開口面積を大きくするためには、フロントパネルの高さ方向の寸法を増やす必要がある。このため、所定の風量を確保するために吸込口の開口面積を大きくすると、フロントパネルの高さ方向の寸法が大きくなり、意匠性が悪くなる。
【０００８】
また、フロントパネルの側面に吸込口が設けられる構成では、吸込口から吸い込まれる空気の流れが、浴室の天井に沿うような流れとなるため、天井に汚れがつく虞があった。
【０００９】
本発明は、このような課題を解決するためになされたもので、水分の滴下を抑制でき、かつ、風量を確保しつつ意匠性を向上させることが可能な送風装置を提供することを目的とする。
【課題を解決するための手段】
【００１０】
上述した課題を解決するため、本発明は、空気を吸い込んで吹き出す送風手段を有した本体部に取り付けられるフロントパネルを備え、フロントパネルは、室内から吸い込まれる空気が通る第１の吸込口と、第１の吸込口とつながる第２の吸込口と、第２の吸込口と対向する吸込口風路形成部材と、室内に吹き出される空気が通る吹出口を備え、第１の吸込口をフロントパネルの室内に対向する面に備え、第２の吸込口を本体部に対向する面に備えた送風装置である。
【００１１】
本発明では、第１の吸込口から第２の吸込口を通って本体部に吸い込まれる空気中の水分が結露するような場合、第２の吸込口から滴下した水分は吸込風路形成部材で受けられる。これにより、室内に面した第１の吸込口から外部に水分が滴下することが抑制される。
【００１２】
また、第１の吸込口がフロントパネルの室内に対向する面に設けられることで、所定の風量を確保するために吸込口の開口面積を大きくするような場合でも、フロントパネルの高さ方向の寸法が抑制される。更に、フロントパネルの室内に対向する面に設けた第１の吸込口から空気が吸い込まれるので、設置場所の壁面に沿うような空気の流れの発生が抑制され、壁面に汚れが付くことが抑制される。
【発明の効果】
【００１３】
本発明では、フロントパネルの高さ方向の寸法の増加を抑制しつつ、本体部内から外部に水が滴下することを抑制することができる。
【図面の簡単な説明】
【００１４】
【図１】本実施の形態の浴室換気乾燥暖房機の一例を示す構成図である。
【図２】本実施の形態の浴室換気乾燥暖房機の一例を示す構成図である。
【図３】本実施の形態の浴室換気乾燥暖房機の一例を示す構成図である。
【図４】本実施の形態の浴室換気乾燥暖房機の設置例を示す構成図である。
【図５】本実施の形態の浴室換気乾燥暖房機のフィルタ着脱動作例を示す説明図である。
【図６】本実施の形態の浴室換気乾燥暖房機のフィルタ着脱動作例を示す説明図である。
【図７】吸込口の大きさと通気抵抗の関係を示すグラフである。
【図８】比較例としてのフロントパネルの一例を示す平面図である。
【図９】本実施の形態の浴室換気乾燥暖房機の変形例を示す構成図である。
【図１０】本実施の形態の浴室換気乾燥暖房機の他の変形例を示す構成図である。
【発明を実施するための形態】
【００１５】
以下、図面を参照して、本発明の送風装置としての浴室換気乾燥暖房機の実施の形態について説明する。
【００１６】
＜第１の実施の形態の浴室換気乾燥暖房機の構成例＞
図１、図２及び図３は、本実施の形態の浴室換気乾燥暖房機の一例を示す構成図で、図１は、本実施の形態の浴室換気乾燥暖房機の内部構成を示す一の側面図、図２は、本実施の形態の浴室換気乾燥暖房機の内部構成を示す他の側面図、図３は、本実施の形態の浴室換気乾燥暖房機を下側から見た平面図である。また、図４は、本実施の形態の浴室換気乾燥暖房機の設置例を示す構成図である。
【００１７】
本実施の形態の浴室換気乾燥暖房機１Ａは、循環換気ファン２を有した本体部３が、フロントパネル４Ａを露出させた形態で、浴室１００の天井に取り付けられる。
【００１８】
浴室換気乾燥暖房機１Ａは、空気を吸い込んで吹き出す循環換気ファン２で、浴室１００内の空気が吸い込まれる循環換気吸込口２０と、ヒータ５を有して温風が吹き出される吹出口２１を備える。
【００１９】
また、浴室換気乾燥暖房機１Ａは、循環換気ファン２で循環換気吸込口２０から吸い込んだ空気を室外に排気する換気吹出口２３を備える。更に、浴室換気乾燥暖房機１Ａは、吹出口２１と換気吹出口２３との間で風路を切り替える風路切替ダンパ６を備える。
【００２０】
循環換気ファン２は、多翼の羽根車２５と、羽根車２５を駆動する循環換気ファンモータ２６と、風路を形成する循環換気ファンケース２７を備える。羽根車２５は、循環換気ファンモータ２６に駆動されて回転することで、内側から外周側へと遠心方向に吹き出される空気の流れを発生させる。
【００２１】
循環換気ファンケース２７は、羽根車２５の外周に沿った円形の部位と、羽根車２５の接線方向に沿った部位を組み合わせた形状で、羽根車２５の遠心方向に吹き出される空気を整流して、羽根車２５の接線方向に沿って吹き出される空気の流れを発生させる。
【００２２】
循環換気ファン２は、浴室換気乾燥暖房機１Ａが所定の設置場所である浴室の天井に設置された状態で、羽根車２５の回転軸の向きが上下方向に沿った配置で構成される。
【００２３】
これにより、循環換気ファン２は、羽根車２５の回転軸に沿った下方から吸い込んだ空気を、羽根車２５の接線方向に吹き出す吹出風路２８が、循環換気ファンケース２７により形成される。
【００２４】
循環換気ファン２は、循環換気ファンケース２７の下面に、空気が吸い込まれる循環換気吸込口２０を備える。また、循環換気ファン２は、循環換気ファンケース２７の下面に、ヒータ５を駆動することで加熱された空気、あるいは、ヒータ５を非駆動とすることで浴室１００内の温度に応じた空気が吹き出される吹出口２１を備える。
【００２５】
更に、循環換気ファン２は、循環換気ファンケース２７の側面に、室外へ空気が吹き出される換気吹出口２３を備える。
【００２６】
循環換気吸込口２０は、羽根車２５の回転軸に沿った下方に、ベルマウスと称される円形の開口を設けて構成される。吹出口２１は、循環換気ファンケース２７による空気の吹出方向に沿った辺を短辺とした長方形の開口を、吹出風路２８の下面に設けて構成される。
【００２７】
循環換気ファンケース２７で構成される吹出風路２８は、吹出口２１が設けられる部位で広げられ、換気吹出口２３が設けられる部位で狭められる。吹出口２１は、循環換気ファンケース２７による空気の吹出方向に沿った辺に対して交差する長辺が、本体部３の幅方向の長さに合わせられる。
【００２８】
風路切替ダンパ６は風路開閉手段の一例で、循環換気ファンケース２７の下面に設けられる吹出口２１と、循環換気ファンケース２７の側面に設けられる換気吹出口２３との間に、回転による開閉動作の軸６０が設けられる。
【００２９】
風路切替ダンパ６は、図示しないダンパモータの駆動力が伝達され、軸６０を支点に回転して吹出口２１と、換気吹出口２３との開閉動作を行う。
【００３０】
浴室換気乾燥暖房機１Ａでは、風路切替ダンパ６の位置を、図１に実線で示すように換気吹出口２３を閉じる循環位置とすると、吹出口２１が開いて、循環換気吸込口２０から吹出口２１へ連通した循環風路が形成される。
【００３１】
また、浴室換気乾燥暖房機１Ａでは、風路切替ダンパ６の位置を、図１に一点鎖線で示すように吹出口２１を閉じる換気位置とすると、換気吹出口２３が開いて、循環換気吸込口２０から換気吹出口２３へ連通した換気風路が形成される。
【００３２】
更に、浴室換気乾燥暖房機１Ａでは、風路切替ダンパ６の位置を、図１に破線で示す循環位置と換気位置の間の循環換気位置とすると、吹出口２１と換気吹出口２３の双方が開いて、循環風路と換気風路の双方が形成される。
【００３３】
これにより、浴室換気乾燥暖房機１Ａでは、１つの循環換気ファン２で、浴室１００内の空気を吸い込み、吸い込んだ空気を浴室１００内に吹き出す動作、吸い込んだ空気を室外に排気する動作、吸い込んだ空気の一部を浴室１００内に吹き出し、残部を室外に排気する動作が行われる。なお、室内の空気を循環させる循環用のファンと、室内の空気を排気する換気用のファンを独立して設ける構成としても良い。
【００３４】
ヒータ５は加熱手段の一例で、本例ではＰＴＣヒータが吹出口２１に取り付けられ、吹出口２１で加熱空気吹出風路が形成される。
【００３５】
ヒータ５が駆動されて通電されると、ヒータ５が加熱されることで吹出口２１を通る空気が加熱され、吹出口２１から温風が吹き出される。ここで、ヒータ５は、棒状のヒータ部材に長手方向に沿って多数のフィンが取り付けられた構成で、フィンが並ぶ方向を、吹出口２１の長手方向に沿った向きとして吹出口２１に取り付けられる。
【００３６】
また、吹出口２１の短手方向の幅は、２本のヒータ５が並べて取り付けられる長さを有し、本例では、２本のヒータ５が吹出口２１の短手方向に並べて取り付けられる。なお、ヒータ５の本数は例えば電源電圧等に応じて設定され、１本のヒータ５が取り付けられる構成でも良い。また、本例では、加熱手段として電気により駆動されるヒータ５を例に説明したが、温水による熱交換器等のヒータでも良い。
【００３７】
本体部３は、循環換気ファンケース２７を構成する本体シャーシ３０と、本体シャーシ３０を覆う金属ケース３１を備える。本体シャーシ３０は樹脂材料で構成され、金属ケース３１で覆われる循環換気ファンケース２７と、本体部３の下端の周縁から外側に突出するフランジ部３２が一体で構成される。
【００３８】
本体シャーシ３０は、金属ケース３１から露出した下面に下カバー３３が取り付けられる。循環換気ファン２は、循環換気吸込口２０と、吹出口２１が下カバー３３に設けられる。
【００３９】
金属ケース３１は、循環換気ファン２の換気吹出口２３に対向して開口が設けられ、換気吹出口２３と連通した排気ダクト接続部３４が側面に取り付けられる。
【００４０】
浴室換気乾燥暖房機１Ａは、本体部３の下面に取り付けられるフロントパネル４Ａを備える。フロントパネル４Ａは、浴室１００から吸い込まれる空気が通る吸込口４０と、浴室１００に吹き出される空気が通る吹出口グリル４１を備える。
【００４１】
吸込口４０は、フロントパネル４Ａの室内に対向した面、本例では、浴室１００に面したフロントパネル４Ａの下側の面に設けられる外側吸込口４２と、循環換気ファン２の循環換気吸込口２０に対向したフロントパネル４Ａの上側の面に設けられる内側吸込口４３と、内側吸込口４３の下側を覆う吸込口風路形成部４４を備える。
【００４２】
また、吸込口４０は、外側吸込口４２と内側吸込口４３をつなぐ吸込口風路４５と、吸込口風路４５を形成する吸込口風路形成枠部４６を備える。
【００４３】
外側吸込口４２は第１の吸込口の一例で、四角形状のフロントパネル４Ａの下側の面において、所定の辺部に沿った位置に開口を設けて構成される。外側吸込口４２は、本例では、吸込口４０と吹出口グリル４１が並ぶ方向に沿った２つの辺部と、吹出口グリル４１が形成されている側と反対側の１つの辺部に沿った３方向に、連続した形状の開口を設けて構成される。
【００４４】
内側吸込口４３は第２の吸込口の一例で、循環換気ファン２に吸い込まれる空気中の水分が内側吸込口４３から外側吸込口４２を通り外部に滴下しないようにするため、水分が滴下し得る方向である上下方向において外側吸込口４２と重ならない位置に開口を設けて構成される。
【００４５】
内側吸込口４３は、本例では、フロントパネル４Ａの辺部に沿って形成される外側吸込口４２に対して外側吸込口４２より内側となる位置に設けられる。
【００４６】
吸込口風路形成部４４は吸込口風路形成部材の一例で、内側吸込口４３と対向して外側吸込口４２の内側に設けられる部位で構成され、内側吸込口４３より大きい形状を有して、内側吸込口４３の下側の全面を覆う。吸込口風路形成部４４は、内側吸込口４３と対向する上側の面で、外側吸込口４２に沿った周縁に凸部４４ａが設けられ、内側吸込口４３を通り滴下する水分等を受けて、外側吸込口４２から滴下しない形状を有した受け部４４ｂが形成される。また、吸込口風路形成部４４は、浴室１００に面した下側の面が、フロントパネル４Ａの下側の面と同一面となるような形状を有する。なお、外側吸込口４２が下側を向いた開口であれば、吸込口風路形成部４４は、浴室１００に面した下側の面が、フロントパネル４Ａの下側の面に対して突出した形状、あるいは、凹状に窪んだ形状であっても良い。
【００４７】
吸込口風路４５は、吸込口風路形成部４４の上側の面である受け部４４ｂと吸込口風路形成枠部４６とで囲われて、外側吸込口４２と内側吸込口４３とにつながる空間を、吸込口風路形成部４４の上側に設けて構成される。
【００４８】
吸込口風路形成枠部４６は、外側吸込口４２の外周に沿ったフロントパネル４Ａの上側の面から上方に向けて斜め方向に突出して、外側吸込口４２の上側を覆う形状の部位を設けて構成される。吸込口風路形成枠部４６は、外側吸込口４２の上側を覆う部位の内側に設けた開口で、内側吸込口４３が構成される。吸込口風路４５は、吸込口風路形成枠部４６が内側吸込口４３に向けて斜め方向に立ち上がることで、吸込口風路４５を形成する壁面が空気の流れに沿うような向きとなり、通気抵抗が低減される。
【００４９】
フロントパネル４Ａは、吸込口風路形成枠部４６が、本体部３の下カバー３３の下側に入り込む形状を有することで、フロントパネル４Ａの下側の面に外側吸込口４２が設けられ、外側吸込口４２の内側の吸込口風路形成部４４の上側に所定の高さで吸込口風路４５が設けられる構成であっても、フロントパネル４Ａの高さ方向の寸法を少なくすることができる。
【００５０】
フロントパネル４Ａは、内側吸込口４３に取り付けられるフィルタ４７と、フィルタ４７が着脱可能に取り付けられるフィルタ取付部４８を備える。フィルタ４７は、空気は通し、塵、埃、虫等は捕集する通気部４７ａと、通気部４７ａを支持する枠部４７ｂを備える。フィルタ４７は、フィルタ取付部４８で枠部４７ｂが内側吸込口４３に取り付けられることで、通気部４７ａで空気は通し、塵、埃、虫等は捕集する。
【００５１】
また、フィルタ４７は、内側吸込口４３の全体を覆い、かつ、通気部４７ａが外側吸込口４２及び吸込口風路形成部４４の内側に収まる形状を有することで、フィルタ４７に付着した塵や水分等が、外側吸込口４２から滴下することが防止される。更に、フィルタ４７は、面方向に撓むことが可能な構成で、湾曲させた形態で、一の外側吸込口４２からフィルタ取付部４８に着脱される。
【００５２】
フィルタ取付部４８は、内側吸込口４３の対向する２辺に沿ってフィルタ４７の挿抜をガイドする上下及び左右一対のガイド部４８ａの間隔を広げることで、フィルタ４７を撓ませる空間を確保した着脱空間４８ｂを設けて構成される。これにより、フロントパネル４Ａの下面に形成された外側吸込口４２から、フィルタ４７を湾曲させた形態としてフィルタ取付部４８に挿抜することで、フィルタ４７が内側吸込口４３に着脱される。
【００５３】
吹出口グリル４１は、循環換気ファン２の吹出口２１に対向した部位のフロントパネル４Ａに開口を設けて構成される。
【００５４】
吹出口グリル４１は、本体部３の一の辺に沿った方向の長さを長くした長方形の開口で構成される。吹出口グリル４１は、長手方向に沿って空気が吹き出されるように、整流板が設けられる。
【００５５】
フロントパネル４Ａは樹脂材料で構成され、吸込口風路形成部４４、吸込口風路形成枠部４６及びフィルタ取付部４８が一体に成型される。また、フロントパネル４Ａは、外側吸込口４２を形成する部位及び吹出口グリル４１を形成する部位には開口が設けられる。
【００５６】
＜本実施の形態の浴室換気乾燥暖房機の設置例＞
次に、各図を参照して、本実施の形態の浴室換気乾燥暖房機１Ａの設置例について説明する。
【００５７】
浴室換気乾燥暖房機１Ａは、図４に示すように、浴室１００の天井パネル１０１に設置される。浴室１００の天井パネル１０１には、浴室換気乾燥暖房機１Ａの本体部３が取り付けられる開口部が形成され、浴室換気乾燥暖房機１Ａは、例えば、フランジ部３２が図示しないネジで補強部材に固定される形態で、天井パネル１０１に取り付けられる。
【００５８】
そして、浴室換気乾燥暖房機１Ａは、本体部３の下面にフロントパネル４Ａが取り付けられ、フロントパネル４Ａの吸込口４０の外側吸込口４２と吹出口グリル４１が、浴室１００内に面して配置される。
【００５９】
浴室１００の天井パネル１０１に設置された浴室換気乾燥暖房機１Ａは、本体部３の排気ダクト接続部３４に排気ダクト１０２が取り付けられる。排気ダクト１０２は、浴室１００が設置される図示しない建物の外壁に取り付けられる屋外グリル１０２ａと接続され、浴室換気乾燥暖房機１Ａは、排気ダクト１０２を介して屋外とつながっている。
【００６０】
浴室１００は、浴槽１０３と洗い場１０４を備える。浴槽１０３は一般的に長方形であり、浴槽１０３と洗い場１０４は、浴槽１０３の短手方向に沿って並んでいる。
【００６１】
浴室１００は、浴槽１０３の上部に物干し部材であるランドリパイプ１０５を備える。ランドリパイプ１０５は、浴槽１０３の長手方向に沿って延び、浴室１００の対向する壁面１０６ａ，１０６ｂ間に取り付けられる。
【００６２】
なお、浴室１００に設置されるランドリパイプ１０５の本数は、１本または２本程度であり、本例では、１本のランドリパイプ１０５が配置された例を示す。また、物干し部材は、洗濯物等の被乾燥物が乾燥できるようになっていれば、パイプ状の部材に限らず、紐状であっても良く、他のものであっても良い。
【００６３】
浴室換気乾燥暖房機１Ａは、吹出口グリル４１の長手方向の向きが、ランドリパイプ１０５の長手方向に対して直交する向きで、浴槽１０３の上部に設置される。これにより、浴室換気乾燥暖房機１Ａでは、吹出口グリル４１から吹き出される空気は、主にランドリパイプ１０５と直交する方向に広がる。
【００６４】
＜本実施の形態の浴室換気乾燥暖房機の動作例＞
次に、各図を参照して、本実施の形態の浴室換気乾燥暖房機１Ａの動作例について説明する。
【００６５】
浴室換気乾燥暖房機１Ａは、暖房運転モードが選択されると、風路切替ダンパ６を図１に実線で示す循環位置にして、循環換気ファンモータ２６を駆動して羽根車２５を回転させると共にヒータ５に通電する。
【００６６】
浴室換気乾燥暖房機１Ａでは、羽根車２５が回転することで、フロントパネル４Ａの吸込口４０において外側吸込口４２から吸い込まれる浴室１００内の空気が、吸込口風路４５を通り内側吸込口４３から循環換気吸込口２０に吸い込まれる。
【００６７】
暖房運転モードでは、風路切替ダンパ６が循環位置にあるので、循環換気吸込口２０から吸い込まれた浴室１００の空気の略全量が、吹出口２１へと流れる。暖房運転モードでは、吹出口２１に流れる空気は、ヒータ５によって加熱されることで、フロントパネル４Ａの吹出口グリル４１から温風が吹き出される。
【００６８】
これにより、浴室１００内の温度を入浴に適した温度に上昇させることができる。なお、暖房運転モードでは、入浴前等の浴室１００に人が居ない状態で、所定の風量及びヒータ出力の設定により短時間で浴室１００の温度を上昇させる予備暖房運転モードと、風量及びヒータ出力を低下させ、入浴中等に浴室１００の温度を保つ入浴中暖房運転モードが切り替えられるようにしても良い。
【００６９】
浴室換気乾燥暖房機１Ａで実行される他の運転モードとしては、乾燥運転モードでは、風路切替ダンパ６を図１に破線で示す循環換気位置にし、循環換気ファンモータ２６を駆動して羽根車２５を回転させると共に、ヒータ５に通電する。
【００７０】
浴室換気乾燥暖房機１Ａでは、羽根車２５が回転することで、フロントパネル４Ａの吸込口４０において外側吸込口４２から吸い込まれる浴室１００内の空気が、吸込口風路４５を通り内側吸込口４３から循環換気吸込口２０に吸い込まれる。
【００７１】
乾燥運転モードでは、風路切替ダンパ６が循環換気位置にあるので、吹出風路２８では、循環換気吸込口２０から吹出口２１へ連通した循環風路と、循環換気吸込口２０から換気吹出口２３へ連通した換気風路の双方が形成されている。
【００７２】
これにより、羽根車２５が回転することで循環換気吸込口２０から吸い込まれた浴室１００の空気の一部は、吹出口２１へと流れる。また、循環換気吸込口２０から吸い込まれた浴室１００の空気の残部は、換気吹出口２３へと流れ、排気ダクト１０２を通り屋外グリル１０２ａから屋外へ排気される。
【００７３】
乾燥運転モードでは、吹出口２１に流れる空気は、ヒータ５によって加熱されることで、フロントパネル４Ａの吹出口グリル４１から温風が吹き出される。
【００７４】
これにより、乾燥運転モードでは、ランドリパイプ１０５に掛けられた衣類等の被乾燥物に対して温風を当てて乾燥させることができると共に、浴室１００内の湿気を含む空気を屋外へ排気し、洗面脱衣所等の空気取り込む換気を行って、乾燥を促進することができる。
【００７５】
浴室換気乾燥暖房機１Ａは、循環換気運転モードでは、風路切替ダンパ６を図１に破線で示す循環換気位置にし、ヒータ５を非駆動として、循環換気ファンモータ２６を駆動して羽根車２５を回転させる。ここで、上述した乾燥運転モードと循環換気運転モードでは、循環換気運転モードの方が、屋外へ排気される風量である換気風量が多くなるように、風路切替ダンパ６の開度を変更しても良い。
【００７６】
浴室換気乾燥暖房機１Ａでは、羽根車２５が回転することで、フロントパネル４Ａの吸込口４０において外側吸込口４２から吸い込まれる浴室１００内の空気が、吸込口風路４５を通り内側吸込口４３から循環換気吸込口２０に吸い込まれる。
【００７７】
循環換気運転モードでは、風路切替ダンパ６が循環換気位置にあるので、循環換気吸込口２０から吸い込まれた浴室１００の空気の一部は、吹出口２１へと流れる。また、循環換気吸込口２０から吸い込まれた浴室１００の空気の残部は、換気吹出口２３へと流れ、屋外へ排気される。
【００７８】
循環換気運転モードでは、吹出口２１に流れる空気は、ヒータ５が非駆動であるので、フロントパネル４Ａの吹出口グリル４１から、室温に応じた空気が吹き出される。
【００７９】
これにより、循環換気運転モードでは、浴室１００内で空気を循環させると共に、浴室１００内の空気の一部が屋外に排気されて換気が行われるので、湿気等を排出して、浴室１００の各壁面、床面等の乾燥を促進することができる。
【００８０】
換気運転モードでは、風路切替ダンパ６を図１に一点鎖線で示す換気位置にし、ヒータ５非駆動として、循環換気ファンモータ２６を駆動して羽根車２５を回転させる。
【００８１】
浴室換気乾燥暖房機１Ａでは、羽根車２５が回転することで、フロントパネル４Ａの吸込口４０において外側吸込口４２から吸い込まれる浴室１００内の空気が、吸込口風路４５を通り内側吸込口４３から循環換気吸込口２０に吸い込まれる。
【００８２】
換気運転モードでは、風路切替ダンパ６が換気位置にあるので、循環換気吸込口２０から吸い込まれた浴室１００の空気の略全量が換気吹出口２３へと流れ、屋外へ排気される。従って、換気運転モードでは、浴室１００内の湯気や湿気を排出して結露等を抑制し、カビの発生を抑えることができる。
【００８３】
浴室換気乾燥暖房機１Ａでは、２４時間換気運転モードを備える。２４時間換気運転モードは、浴室換気乾燥暖房機１Ａが設置された建物内の空気を、所定時間で換気できる風量で上述した換気モードが常時実行される。従って、２４時間換気運転モードでは、室内の空気を新鮮な空気に入れ替えることができる。
【００８４】
浴室換気乾燥暖房機１Ａで循環換気ファン２により吸い込まれる浴室１００の空気には水分が含まれる。このため、フロントパネル４Ａの吸込口４０において外側吸込口４２から吸い込まれる浴室１００内の空気中の水分が、内側吸込口４３に取り付けられたフィルタ４７に付着して結露する場合がある。
【００８５】
また、フィルタ４７を通過して循環換気ファン２に吸い込まれる空気中の水分が、循環換気ファン２内の羽根車２５及び循環換気ファンケース２７の内面等に付着して結露する場合がある。
【００８６】
浴室換気乾燥暖房機１Ａは、フィルタ４７が取り付けられた内側吸込口４３の下側が吸込口風路形成部４４で覆われる。これにより、フィルタ４７、循環換気ファン２内の羽根車２５及び循環換気ファンケース２７の内面等に付着して結露した水分が滴下しても、滴下した水分が吸込口風路形成部４４の受け部４４ｂで受けられる。吸込口風路形成部４４は、受け部４４ｂの外縁部に沿って凸部４４ａが形成されることで、受け部４４ｂで受けた水分が受け部４４ｂから外部に滴下することが抑制される。従って、循環換気ファン２で吸い込まれた空気中の水分が、外側吸込口４２から外部に滴下することが抑制される。
【００８７】
また、浴室換気乾燥暖房機１Ａは、外側吸込口４２、内側吸込口４３、吸込口風路形成部４４、吸込口風路形成枠部４６及びフィルタ取付部４８がフロントパネル４Ａと一体に形成されている。これにより、フロントパネル４Ａの下側の面には、吸込口４０を形成するための開口や隙間が、外側吸込口４２以外には必要ない。従って、フロントパネル４Ａには、フィルタ４７、循環換気ファン２内の羽根車２５及び循環換気ファンケース２７の内面等に付着して結露した水分が外部に滴下するような開口や隙間が存在しない。よって、循環換気ファン２で吸い込まれた空気中の水分が、外側吸込口４２から外部に滴下することが抑制される。
【００８８】
浴室換気乾燥暖房機１Ａでは、四角形状のフロントパネル４Ａの下側の面において、吹出口グリル４１が形成されている側を除く３方向に外側吸込口４２が形成されている。これにより、吹出口グリル４１から吹き出される空気が浴室１００内を循環せずに外側吸込口４２から吸い込まれるショートカットと称される現象の発生を抑制することができる。なお、本例では、３方向に設けられる外側吸込口４２を連続した開口で構成したが、独立した開口で構成しても良い。
【００８９】
ここで、外側吸込口４２は、四角形状のフロントパネル４Ａの下側の面において、吹出口グリル４１が形成されている側と反対側の１つの辺部に沿った１方向に設ける構成としても良いし、吸込口４０と吹出口グリル４１が並ぶ方向に沿った２つの辺部の２方向に設ける構成としても良い。但し、３方向に外側吸込口４２を設けることで、所定の風量を得る場合に、１方向あるいは２方向に外側吸込口を設ける場合と比較して、風速を抑制することができ、風切音等の音の発生を抑制して静音化を図ることができる。また、吹出口グリル４１の形状、具体的には、吹出口グリル４１に設けられる図示しない吹出ルーバの形状や配置によってショートカットを抑制できる構成とすることで、吹出口グリル４１が形成されている側の辺部を含む４方向に外側吸込口４２を設けても良い。
【００９０】
＜本実施の形態の浴室換気乾燥暖房機のフィルタ着脱動作例＞
図５及び図６は、本実施の形態の浴室換気乾燥暖房機のフィルタ着脱動作例を示す説明図で、次に、各図を参照して、本実施の形態の浴室換気乾燥暖房機１Ａにおいてフロントパネル４Ａにフィルタ４７を着脱する動作について説明する。
【００９１】
フィルタ４７を取り付ける動作では、図５に示すように、フロントパネル４Ａの下面に形成された外側吸込口４２から、フィルタ４７を湾曲させた形態としてフィルタ取付部４８のガイド部４８ａにフィルタ４７の枠部４７ｂが挿入される。フィルタ４７は、ガイド部４８ａに沿って挿入されることで、図１及び図２に示すように、内側吸込口４３に沿った向きで取り付けられる。
【００９２】
フィルタ４７を取り外す動作では、図６に示すように、フィルタ取付部４８の着脱空間４８ｂを利用して、フィルタ４７の端部を撓ませ、端部側の枠部４７ｂをフィルタ取付部４８から外す。そして、図５に示すように、フィルタ４７を湾曲させた形態として、フロントパネル４Ａの下面に形成された外側吸込口４２から抜き取る。
【００９３】
浴室換気乾燥暖房機１Ａは、内側吸込口４３に取り付けられるフィルタ４７の着脱を外側吸込口４２から行うことで、フィルタ４７を着脱するための開口や、開口を開閉するような構成は必要ない。これにより、循環換気ファン２で吸い込まれた空気中の水分が、フィルタ４７を着脱するための開口から外部に滴下することが抑制される。
【００９４】
＜吸込口の大きさと通気抵抗の関係＞
図７は、吸込口の大きさと通気抵抗の関係を示すグラフ、図８は、比較例としてのフロントパネルの一例を示す平面図である。
【００９５】
本実施の形態のフロントパネル４Ａにおいて、外側吸込口４２の大きさを変えて、通気抵抗の変化を測定した。本例では、外側吸込口４２の大きさとして、外側吸込口４２の短手方向の寸法を変えて通気抵抗を測定した。具体的には、図１に示すように、外側吸込口４２の内縁側の端部と、外側吸込口４２の外縁を構成する吸込口風路形成枠部４６との間で、長さが最も狭くなる位置の寸法Ｚを変えて、通気抵抗を測定した。
【００９６】
図７において、外側吸込口４２の短手方向の寸法Ｚを１０ｍｍ（外側吸込口４２の開口面積、以下開口面積：７２００ｍｍ２）とした場合の通気抵抗を二点鎖線で示し、寸法Ｚを２０ｍｍ（開口面積：１４４００ｍｍ２）とした場合の通気抵抗を一点鎖線で示し、寸法Ｚを２５ｍｍ（開口面積：１８０００ｍｍ２）とした場合の通気抵抗を実線で示す。
【００９７】
図８に示す比較例のフロントパネル４００は、吸込口４０１と吹出口４０２がフロントパネル４００の下側の面に設けられる。このような比較例のフロントパネル４００における通気抵抗を、図７に破線で示す。
【００９８】
浴室換気乾燥暖房機において、必要とされる風量が３００ｍｍ２程度とした場合、外側吸込口４２の短手方向の寸法Ｚが１０ｍｍであると、比較例に対して通気抵抗が大きい。これに対して、寸法Ｚを大きくし、開口面積を大きくしていくと、通気抵抗が減少することが判り、寸法Ｚを２５ｍｍ程度にすることで、比較例と同等程度の通気抵抗とできることが判った。
【００９９】
なお、図１に示すように、外側吸込口４２とつながる吸込口風路４５の高さ方向の寸法である外側吸込口４２の内縁側の端部から内側吸込口４３までの寸法をＨとすると、外側吸込口４２の短手方向の寸法Ｚを、吸込口風路４５の高さ方向の寸法Ｈより大きくしても、最も狭くなる部位の寸法はＨとなるので、寸法Ｚの上限は寸法Ｈとなる。本例では、吸込口風路４５の高さ方向の寸法Ｈは４０ｍｍである。
【０１００】
このため、外側吸込口４２の短手方向の寸法Ｚは、好ましくは２０ｍｍ以上（開口面積：１４４００ｍｍ２以上）、４０ｍｍ以下（開口面積：２８８００ｍｍ２以下）であり、更に好ましくは、２５ｍｍ以上（開口面積：１８０００ｍｍ２以上）、４０ｍｍ以下（開口面積：２８８００ｍｍ２以下）である。
【０１０１】
フロントパネルの側面に吸込口が設けられる構成とした場合、吸込口の短手方向の寸法を２５（ｍｍ）とするためには、フロントパネルの高さ方向の寸法を２５（ｍｍ）以上にする必要がある。これに対して、本実施の形態のフロントパネル４Ａでは、外側吸込口４２は、フロントパネル４Ａの下側の面に開口を設けて構成されるので、フロントパネル４Ａの高さ方向の寸法は外側吸込口４２の影響を受けない。
【０１０２】
これにより、例えば、外側吸込口４２の短手方向の寸法を２５（ｍｍ）とした場合でも、フロントパネル４Ａの高さ方向の寸法を２５（ｍｍ）以下にすることができ、フロントパネル４Ａの薄型化が可能である。従って、意匠性を向上させることができる。
【０１０３】
＜本実施の形態の浴室換気乾燥暖房機の変形例＞
図９は、本実施の形態の浴室換気乾燥暖房機の変形例を示す構成図である。変形例の浴室換気乾燥暖房機では、フロントパネル４Ｂの外側吸込口４２に水受け部４９を備える。水受け部４９は、外側吸込口４２の外縁部に沿って形成され、吸込口風路形成枠部４６に沿って流れる水を受ける。
【０１０４】
これにより、フィルタ４７で結露した水分が側方に流れる場合や、外側吸込口４２から吸い込まれる空気中の水分が吸込口風路形成枠部４６に付着して結露するような場合であっても、吸込口風路形成枠部４６に沿って流れる水分が水受け部４９で受けられる。従って、外側吸込口４２から水分が外部に滴下することが抑制される。
【０１０５】
図１０は、本実施の形態の浴室換気乾燥暖房機の他の変形例を示す構成図である。他の変形例の浴室換気乾燥暖房機では、フロントパネル４Ｃの吸込口風路形成枠部４６は、外側吸込口４２の外周に沿ったフロントパネル４Ｃの上側の面から上方に向けて鉛直方向に突出して、外側吸込口４２の上側を覆う形状の部位を設けて構成される。吸込口風路形成枠部４６を鉛直方向に立ち上がる形状とすることで、吸込口風路４５の開口面積が拡大される。
【０１０６】
なお、本実施の形態では、フロントパネル４Ａ〜４Ｃにおいて外側吸込口４２からフィルタ４７が挿抜される構成としたが、浴室１００の天井パネル１０１から室内側に露出したフロントパネル４Ａ〜４Ｃの側方、あるいは、フロントパネル４Ａ〜４Ｃと本体部３との間の側方からフィルタ４７を挿抜させる構成としても良い。
【０１０７】
また、外側吸込口４２からフィルタ４７が挿抜される構成で、フィルタ取付部を本体部３側に設けても良い。更に、フロントパネル４Ａ〜４Ｃの側方、あるいは、フロントパネル４Ａ〜４Ｃと本体部３との間の側方からフィルタ４７を挿抜させる構成で、フィルタ取付部はフロントパネル４Ａ〜４Ｃに設けても良いし、フィルタ取付部を本体部３側に設けても良い。
【０１０８】
フロントパネル４Ａ〜４Ｃの側方、あるいは、フロントパネル４Ａ〜４Ｃと本体部３との間の側方からフィルタ４７を挿抜させる構成でも、フロントパネル４Ａ〜４Ｃの下面には、フィルタ４７を挿抜するための開口や開口を開閉する構成は必要ないため、フロントパネル４Ａ〜４Ｃの外部へ水分が滴下することが抑制される。
【産業上の利用可能性】
【０１０９】
本発明は、空気の吸込口を備えた送風装置や空調装置に適用される。
【符号の説明】
【０１１０】
１Ａ・・・浴室換気乾燥暖房機、２・・・循環換気ファン、３・・・本体部、４Ａ、４Ｂ、４Ｃ・・・フロントパネル、４０・・・吸込口、４１・・・吹出口グリル、４２・・・外側吸込口、４３・・・内側吸込口、４４・・・吸込口風路形成部、４４ｂ・・・受け部、４５・・・吸込口風路、４６・・・吸込口風路形成枠部、４７・・・フィルタ、４８・・・フィルタ取付部、５・・・ヒータ、１００・・・浴室
【図１】
2015210001.tif 000003
【図２】
2015210001.tif 000004
【図３】
2015210001.tif 000005
【図４】
2015210001.tif 000006
【図５】
2015210001.tif 000007
【図６】
2015210001.tif 000008
【図７】
2015210001.tif 000009
【図８】
2015210001.tif 000010
【図９】
2015210001.tif 000011
【図１０】
2015210001.tif 000012